(57)【要約】あるエリアにわたって通信カバレージを与えるように構成された通信システムであって、このシステムは、上記カバレージエリアより小さいエリアに対して少なくとも１つのパラメータ及び／又はコンフィギュレーション設定を各々制御する複数の第１手段と、これら複数の第１手段のうちの複数から情報を受け取り、そしてそれら複数の第１手段の上記複数のうちの少なくとも１つに関連したエリアに対して少なくとも１つのパラメータ及び／又はコンフィギュレーション設定を制御する第２手段とを備えている。【特許請求の範囲】
【請求項１】
あるエリアにわたって通信カバレージを与えるように構成された通信システムであって、上記カバレージエリアより小さいエリアに対して少なくとも１つのパラメータ及び／又はコンフィギュレーション設定を各々制御する複数の第１手段と、これら複数の第１手段のうちの複数から情報を受け取り、そしてそれら複数の第１手段の上記複数のうちの少なくとも１つに関連したエリアに対して少なくとも１つのパラメータ及び／又はコンフィギュレーション設定を制御する第２手段とを備えた通信システム。
【請求項２】
上記システムは、上記第１手段が上記少なくとも１つのパラメータ及び／又はコンフィギュレーション設定を制御するように構成された第１動作モードと、上記第２手段が上記パラメータ及び／又はコンフィギュレーション設定を制御するように構成された第２モードとを有する請求項１に記載のシステム。
【請求項３】
上記第２モードは、上記第１手段の１つにより制御される少なくとも１つのエリアの状態が、上記第１手段の別のものにより制御されるエリアの少なくとも１つのパラメータ及び／又はコンフィギュレーション設定に影響する場合だけ使用される請求項２に記載のシステム。
【請求項４】
上記第１手段の少なくとも２つに関連したエリアが少なくとも部分的に重畳する請求項１ないし３のいずれかに記載のシステム。
【請求項５】
上記第２手段は、１つのネットワーク要素に設けられる請求項１ないし４のいずれかに記載のシステム。
【請求項６】
上記第２手段は、複数のネットワーク要素に設けられる請求項１ないし４のいずれかに記載のシステム。
【請求項７】
上記第２手段及び第１手段は、同じネットワーク要素に設けられる請求項６に記載のシステム。
【請求項８】
複数の異なるアクセスシステムが設けられ、その各々に複数の上記第１手段が設けられる請求項１ないし７のいずれかに記載のシステム。
【請求項９】
上記第２手段は、その第２手段が、上記アクセスシステムの１つだけに関連された上記複数の第１手段のうちの複数から情報を受け取るように構成された第１動作モードと、その第２手段が、上記アクセスシステムの複数に関連された上記複数の第１手段のうちの複数から情報を受け取るように構成された第２動作モードとを有する請求項８に記載のシステム。
【請求項１０】
上記複数の異なるアクセスシステムによりカバーされるエリアは、少なくとも部分的に同じである請求項８又は９の記載のシステム。
【請求項１１】
上記複数の異なるアクセスシステムによりカバーされるエリアは、異なる請求項８又は９の記載のシステム。
【請求項１２】
上記システムは、セルラーシステムより成る請求項１ないし１１のいずれかに記載のシステム。
【請求項１３】
上記第１手段は、少なくとも１つのセルパラメータに関連した情報を与えるように構成される請求項１２に記載のシステム。
【請求項１４】
上記少なくとも１つのセルパラメータは、セルリソースの状態、サーバー状態、セル負荷、セル性能、使用可能なサービスクオリティ、の少なくとも１つを含む請求項１３に記載のシステム。
【請求項１５】
上記第１手段は、少なくとも１つのユーザパラメータに関連した情報を与えるように構成される請求項１２ないし１４のいずれか１つに記載のシステム。
【請求項１６】
上記少なくとも１つのユーザパラメータは、候補セルのリスト、ユーザによって要求された少なくとも１つのサービスクオリティパラメータ、ユーザにより行われた測定、ユーザに関連したパラメータ、及びユーザのクラスマークを含む請求項１５に記載のシステム。
【請求項１７】
上記第２手段は、少なくとも１つのコンフィギュレーション及び／又は性能パラメータを受け取るように構成される請求項１２ないし１６のいずれかに記載のシステム。
【請求項１８】
上記少なくとも１つのコンフィギュレーション及び／又は性能パラメータはデータベースから受け取られる請求項１７に記載のシステム。
【請求項１９】
上記第２手段は、次のパラメータ及び／又はコンフィギュレーション設定、即ちユーザが指定されるか又はハンドオフされるセル、アイドルモード、及びセル再選択、の１つ以上を制御するように構成される請求項１２ないし１８のいずれかに記載のシステム。
【請求項２０】
上記第１手段の少なくとも幾つかは、ベースステーションコントローラに設けられる請求項１２ないし１９のいずれかに記載のシステム。
【請求項２１】
上記第１手段の少なくとも幾つかは、無線ネットワークコントローラに設けられる請求項１２ないし２０のいずれかに記載のシステム。
【請求項２２】
上記第２手段により受け取られる情報の少なくとも幾つかは、そこからの要求に応答して受け取られる請求項１２ないし２１のいずれかに記載のシステム。
【請求項２３】
上記第２手段は、更に別の手段から情報を受け取るように構成され、上記更に別の情報は、上記少なくとも１つのパラメータ及び／又はコンフィギュレーション設定を制御するのに使用される請求項１ないし２２のいずれかに記載のシステム。
【請求項２４】
上記コンフィギュレーション設定及び／又はパラメータはリソース割り当てを含む通信システム。
【請求項２５】
あるエリアにわたって通信カバレージを与えるように構成された通信システムであって、該システムの一部分に対して少なくとも１つのパラメータ及び／又はコンフィギュレーション設定を各々制御する複数の第１手段と、これら複数の第１手段のうちの複数から情報を受け取り、そしてそれら複数の第１手段の上記複数のうちの少なくとも１つに関連した上記システムの一部分における少なくとも１つのパラメータ及び／又はコンフィギュレーション設定を制御する第２手段とを備えた通信システム。
【請求項２６】
あるエリアにわたって通信カバレージを与えるように構成された通信システムに使用するためのコントローラであって、その通信システムは、上記カバレージエリアより小さいエリアに対して少なくとも１つのパラメータ及び／又はコンフィギュレーション設定を各々制御する複数の第１手段を含むものであり、上記コントローラは、上記複数の第１手段のうちの複数から情報を受け取る手段と、上記複数の第１手段の上記複数のうちの少なくとも１つに関連したエリアに対して少なくとも１つのパラメータ及び／又はコンフィギュレーション設定を制御する手段とを備えたコントローラ。
【請求項２７】
あるエリアにわたって通信カバレージを与えるように構成された通信システムに使用するための方法であって、
上記カバレージエリアより小さいエリアに対して少なくとも１つのパラメータ及び／又はコンフィギュレーション設定を各々制御する複数の第１手段システムから情報を受信し、そして
その受信した情報に基づいて上記複数の第１手段の少なくとも１つに関連したエリアにおける少なくとも１つのパラメータ及び／又はコンフィギュレーション設定を制御する、
という段階を備えた方法。
【請求項２８】
上記情報は、使用可能な容量及び提供できるサービスクオリティの１つ以上に関する情報を含む請求項２７に記載の方法。
【請求項２９】
上記パラメータ及び／又はコンフィギュレーション設定は、上記エリアのある部分から別の部分へのユーザのハンドオーバーを含む請求項２７又は２８に記載の方法。
【請求項３０】
上記情報は、ハンドオーバー候補リスト、ユーザにより行われた測定、クラスマーク情報、及びユーザが要求する接続のサービスクオリティパラメータの少なくとも１つを含む請求項２９に記載の方法。
【請求項３１】
上記制御段階においてハンドオーバー候補のリストが上記第１手段の各々に送信される請求項２９及び３０のいずれかに記載の方法。
【請求項３２】
上記制御段階は、アイドルモードユーザ及び／又は上記エリア再選択プロセスの一部分に対してシステムへのアクセスを制御する請求項２７ないし３１のいずれかに記載の方法。
【請求項３３】
上記パラメータ及び／又はコンフィギュレーション設定は、リソース割り当てを含む請求項２７ないし２９のいずれかに記載の方法。
【請求項３４】
上記リソースは、チャンネル割り当てを含む請求項３３に記載の方法。
【発明の詳細な説明】
【０００１】
【技術分野】
本発明は、通信システムに係る。
【０００２】
【背景技術】
典型的なセルラーワイヤレスネットワークにおいては、ネットワークによりカバーされたエリアが多数のセルに分割される。各セルは、ベーストランシーバステーションによりサービスされ、ベーストランシーバステーションは、その特定のベーストランシーバステーションに関連した各セルに位置するターミナルから信号を受信したりそこへ信号を送信したりする。ターミナルは、セル間を移動できる移動ステーションである。
【０００３】
無線リソース（及び他のネットワークリソース）の管理は、通常、現在ネットワークでは分散的に行われる。より詳細には、ベースステーションのコントローラの役割は、それ自身のベースステーションのリソースを制御することである。ＧＳＭ（移動通信用のグローバルシステム）規格では、ベースステーションコントローラ（ＢＳＣ）が、１組のベースステーションを制御するように構成される。ＣＤＭＡ（コード分割多重アクセス）を使用する提案された第３世代システムでは、無線ネットワークコントローラ（ＲＮＣ）が、それ自身のベースステーションのリソースを制御するように構成される。ＣＤＭＡシステムでは、ベースステーションは、ノードＢとも称される。しかしながら、本明細書では、ベースステーションという語を使用する。これら両システムのコントローラは、多数のベースステーションを制御するように構成される。しかしながら、制御されるベースステーションの数は、比較的少ない。従って、この解決策では、リソース管理機能又はアルゴリズムの効率は、リソース利用の整合がコントローラ自身の制限されたリソース内でしか行えないことにより限定される。
【０００４】
更に別の問題は、コントローラにより使用されるアルゴリズムが、コントローラの既存のインターフェイスを経て受け取った情報を使用し、そして新たな情報又は測定値を転送する可能性が制限されることである。これは、既存の標準的インターフェイスを変更するか、又は新たなインターフェイスを設けることを必要とする。ネットワークの全てのコントローラにおいてこれを実施することは実際的でない。
【０００５】
上述した問題は、将来もっと深刻になる。というのは、新規に設計されるネットワークアーキテクチャーでは、より効率的なリアルタイムＲＴアルゴリズムの実施を許すために、ほとんどの無線リソース制御機能が、無線ネットワークコントローラ及びベースステーションコントローラのようなコントローラからベースステーションへ移行されるからである。ベースステーションコントローラではなくてベースステーションにおいて好都合に実行できる機能の一例は、チャンネル指定である。このようなアーキテクチャーの一例は、ＩＰＲＡＮ（インターネットプロトコル無線アクセスネットワーク）に対して提案されたものである。これは、制御エンティティにより制御されるエリアが、ベースステーションコントローラ又は無線ネットワークコントローラのエリア（多数のベースステーションによりカバーされるエリアを包囲する）から、単一ベースステーションのカバレージエリアのみに減少されることを意味する。
【０００６】
又、ネットワークオペレータが、共通カバレージエリアと共に２つ以上の無線アクセスシステム（例えば、ＣＤＭＡシステム及びＧＳＭシステム）を所有するときには、無線コントローラ境界の制限も特に問題である。これは、異なるシステムのリソースの割り当てを共通に管理及び整合して、アクセスシステムの最適な１つを使用するようにマルチモードターミナルを制御できるようにする必要があるからである。マルチモードターミナルは、両アクセスシステムにアクセスすることができる。ベースステーションコントローラ、無線ネットワークコントローラ又はベースステーションそれ自体のようなコントローラを使用することは、マルチモードターミナルの利点を完全に実現することを許さない。２つ以上の無線アクセスシステムを使用するネットワークオペレータの数は、現在の開発がなされると、劇的に増加することが予想される。ＣＤＭＡのような第３世代システムの加えて、ワイヤレスＬＡＮ（ローカルエリアネットワーク）、ＩＳ−４１（ＣＤＭＡのＵＳバージョン）等の他のシステムも開発されている。
【０００７】
現在使用されているようなリソースの分散的管理は、エンドユーザに与えられるサービスクオリティの完全な制御を許さないという点で更に別の欠点がある。これは、分散的リソースマネージャーが、エンドユーザに対するサービスクオリティに影響するリソースの一部分しか制御しないためである。
又、既知のシステムの場合のようなリソースの分散的管理は、操作性に関して制約がある。これは、分散型制御エンティティ（例えば、無線ネットワークコントローラ、ベースステーションコントローラ又はベースステーション）の各々にアクセスすることにより新規な特徴の導入及び既存のパラメータの変更を行わねばならないためである。異なるエンティティが異なる製造者によって提供され、従って、異なるユーザインターフェイスをもつことになる。
【０００８】
上述した構成体に関して更に別の問題がある。特に、ネットワークにおいて、ハンドオーバーの判断（即ち、ターミナルに対してハンドオーバーを行わねばならないかどうかそしてどのセルへ行うかの判断）は、ターミナルの測定値、他の移動ステーション特有の情報、並びにオペレーション・メンテナンスを経て設定される幾つかの静的なハンドオーバーパラメータ及びターゲットセル情報（この後者のパラメータは、通常、無線ネットワークプランニングツールにより発生される）をベースとするものである。このハンドオーバーメカニズムには、次のような欠点がある。ハンドオーバーの判断は、全てのターゲットセルが同じコントローラにより制御されない限り、全てのターゲットセルの動的な情報を考慮することができない。動的な情報とは、例えば、セルの負荷、チャンネルの利用性、干渉レベル等である。ある無線アクセスシステムから別のシステムへのハンドオーバーの場合には、候補ターゲットセルが、異なるコントローラにより制御される。ハンドオーバーの判断は、コントローラにとって未知の動的なパラメータ、例えば、他のネットワーク要素の負荷、搬送負荷、ＣＮ（コアネットワーク）負荷等に基づいて行うことができない。
【０００９】
【発明の開示】
本発明の目的は、上述した問題の１つ以上に対処することである。
本発明の第１の特徴によれば、あるエリアにわたって通信カバレージを与えるように構成された通信システムであって、上記カバレージエリアより小さいエリアに対して少なくとも１つのパラメータ及び／又はコンフィギュレーション設定を各々制御する複数の第１手段と、これら複数の第１手段のうちの複数から情報を受け取り、そしてそれら複数の第１手段の上記複数のうちの少なくとも１つに関連したエリアに対して少なくとも１つのパラメータ及び／又はコンフィギュレーション設定を制御する第２手段とを備えた通信システムが提供される。
【００１０】
本発明の第２の特徴によれば、あるエリアにわたって通信カバレージを与えるように構成された通信システムであって、該システムの一部分に対して少なくとも１つのパラメータ及び／又はコンフィギュレーション設定を各々制御する複数の第１手段と、これら複数の第１手段のうちの複数から情報を受け取り、そしてそれら複数の第１手段の上記複数のうちの少なくとも１つに関連した上記システムの一部分における少なくとも１つのパラメータ及び／又はコンフィギュレーション設定を制御する第２手段とを備えた通信システムが提供される。
【００１１】
本発明の第３の特徴によれば、あるエリアにわたって通信カバレージを与えるように構成された通信システムに使用するためのコントローラであって、その通信システムは、上記カバレージエリアより小さいエリアに対して少なくとも１つのパラメータ及び／又はコンフィギュレーション設定を各々制御する複数の第１手段を含むものであり、上記コントローラは、上記複数の第１手段のうちの複数から情報を受け取る手段と、上記複数の第１手段の上記複数のうちの少なくとも１つに関連したエリアに対して少なくとも１つのパラメータ及び／又はコンフィギュレーション設定を制御する手段とを備えたコントローラが提供される。
【００１２】
本発明の第４の特徴によれば、あるエリアにわたって通信カバレージを与えるように構成された通信システムに使用するための方法であって、上記カバレージエリアより小さいエリアに対して少なくとも１つのパラメータ及び／又はコンフィギュレーション設定を各々制御する複数の第１手段システムから情報を受信し、そしてその受信した情報に基づいて上記複数の第１手段の少なくとも１つに関連したエリアにおける少なくとも１つのパラメータ及び／又はコンフィギュレーション設定を制御するという段階を備えた方法が提供される。
【００１３】
【発明を実施するための最良の形態】
本発明、及びそれをいかに実施するかを良く理解するために、添付図面を参照して以下に詳細に説明する。
ＧＳＭ規格に基づいて動作する第１無線アクセスシステム２と、コード分割多重アクセスを使用する第２無線アクセスシステム４とを示した図１を最初に説明する。明瞭化のため、無線アクセスシステムは、隣接エリアをカバーするものとして示されている。実際に、２つの無線アクセスシステムは、部分的に又は完全に重畳する。各無線アクセスシステムによりカバーされるエリアは、複数のセル６及び８に各々分割される。各無線アクセスシステムのセルは、無線アクセスシステム間に重畳が生じるような同じ又は異なる境界を有してもよい。セル６及び８の各々は、各ベースステーション１０によりサービスされる。各ベースステーションは、移動ステーション１２又は他の適当なターミナルと通信するように構成される。
【００１４】
ＧＳＭ無線アクセスシステムのベースステーション１０は、各ベースステーションコントローラ１４により制御されるように構成される。図１に示す例では、各ベースステーションコントローラ１４は、２つのベースステーションを制御するように構成される。実際に、各ベースステーションコントローラ１４は、それ以上又はそれ以下のベースステーションを制御してもよい。ＣＤＭＡアクセスシステムのベースステーション１０は、各無線ネットワークコントローラ１６により制御されるように構成される。１つの無線ネットワークコントローラ１６は、２つのベースステーションを制御するものとして示され、一方、他の無線ネットワークコントローラは、単一のベースステーションを制御するものとして示されている。これは、一例に過ぎず、各コントローラは、１つ、２つ又はそれ以上のベースステーションを制御する役割を果たしてもよい。
【００１５】
ベースステーションコントローラ１４及び無線ネットワークコントローラ１６は、各々、共通の無線リソースマネージャーＣＲＲＭ１８に接続される。ＣＲＲＭ１８の機能は、以下に詳細に述べる。本発明の別の実施形態では、ＣＲＲＭ１８は、各ベースステーションに直結される。本発明の更に別の実施形態では、ＣＲＲＭ１８は、ベースステーションコントローラ及び無線ネットワークコントローラの上流のネットワーク要素、例えば、移動サービス交換センター又は上位レベルの要素に接続される。全ての場合に、ＣＲＲＭ１８は、全てのセルに関連したデータを受信するように構成される。更に、ＣＲＲＭ１８は、スイッチのような他のネットワーク要素に関連したデータを受信することができる。例えば、ＣＲＲＭ１８は、スイッチに関する混雑情報を受信することができる。
【００１６】
ＣＲＲＭ１８は、リソース管理アルゴリズムを実行するためにＣＲＲＭに必要とされる情報をＣＲＲＭ１８に与えることのできるコントローラとの簡単なインターフェイスをもつように設計される。これらインターフェイスは、融通性があるよう意図され、新たな又は既存のＣＲＲＭ機能に新たなパラメータを使用することが望まれる場合に新たなパラメータを収集できるようにされる。他のネットワーク要素には何ら変更が必要とされないのが好ましい。というのは、このようにすれば、リソース管理の変更を容易に達成し得るからである。又、インターフェイスは、他の売主により作られた装置に適合するよう意図され、従って、ＣＲＲＭ１８は、他の売主により供給される装置に接続することができる。インターフェイスは、アプリケーション層及び搬送層をもつ標準構造のものでよい。この形式の構造は、公知であり、ここでは詳細に説明しない。
【００１７】
これらのインターフェイスを経て、ＣＲＲＭ１８は、次の領域にグループ分けすることのできる機能を与える。
−　異なる無線アクセスシステムからの無線リソースの使用の整合；
−　同じ無線アクセスシステムの異なるエリアからの無線リソースの使用の整合；
−　無線リソース以外のリソース、例えば、コアネットワークリソース、搬送リソース、スイッチ、ハードウェア及び／又はソフトウェアプロセッサ、搬送及び／又は送信装置、データベース等の使用の整合；及び
−　１つの接続のサービスクオリティに影響する全てのリソース（無線及び非無線）の使用の整合。
【００１８】
これら機能は、１つの集中型ネットワーク要素であるＣＲＲＭ１８において実行される。これは、操作性の効果を高める。というのは、インターフェイスを経て、ＣＲＲＭ機能及びアルゴリズムを必要に応じて容易に構成（及びアップグレード）できるようにするからである。
本発明の別の実施形態では、ＣＲＲＭは、上述したような単一の物理的エンティティではない。むしろ、ＣＲＲＭは、異なる物理的ネットワーク要素に機能を分散することにより実施される。例えば、機能は、次のネットワーク要素、即ちベースステーションコントローラ、無線ネットワークコントローラ、及びＩＰベースのベースステーション、の１つ以上において実施することができる。これらエンティティは、一例に過ぎず、そして機能は、他のエンティティにおいて実施されてもよい。
【００１９】
分散型要素は、上述したインターフェイスを使用して、これら分散型エンティティへの／からのシグナリングを実行する。
ＣＲＲＭの機能を分散式にいかに実施できるかの一例を示す図７について説明する。上述したネットワーク要素のいずれかである６つのエンティティ１００が存在する。これらエンティティ１００は、接続１０２を経て相互接続される。図７から明らかなように、各エンティティ１００は、他のエンティティ１００の複数に接続されるが、他の各エンティティに接続されるのではない。本発明のある実施形態では、各エンティティ１００は、他の各エンティティ１００に接続されるが、これは、極めて多数の接続を生じる。本発明の別の実施形態では、各エンティティは、１つの他のエンティティに接続されるだけである。しかしながら、これは、ネットワークのシグナリングトラフィックを著しく増加し、且つＣＲＲＭの機能を非常に低速化する。各エンティティを、１つ１つではなく他の多数のエンティティに接続することにより、接続の数と、ＣＲＲＭ機能の速度との間に適度な妥協を達成することができる。各エンティティは、ＣＲＲＭ機能に使用される情報を得、発生し又は提供することを含むその通常の機能を実行する。この情報は、他のエンティティの１つ以上に転送される。ある場合に、その情報は、更なるエンティティに転送される。同様に、各エンティティは、情報を受信もする。ほとんどの適当なエンティティ１００は、そのエンティティが有する情報に基づいてＣＲＲＭ判断を実行する。これは、そのエンティティ自体及び少なくとも１つの他のエンティティからの情報を考慮することができる。エンティティのＣＲＲＭ機能によってなされる幾つかの判断は、そのエンティティ１００からの情報しか考慮しない。情報は、２つ以上のエンティティにおいて処理することができ、そしてその処理された情報は、１つのエンティティのＣＲＲＭ機能により使用されることが明らかであろう。この別の形態は、多量の処理を必要とする特徴を実現するのに効果的である。
【００２０】
共通の無線リソースマネージャーの機能は、無線ベアラによって要求されるリソースへのアクセスに対してポリシーマネージャーとして働くことである。無線及び非無線リソースの使用を整合することにより、無線アクセスシステム（１つ又は複数）の容量を高めることができる。
【００２１】
ＣＲＲＭ１８と、セルレベル無線リソースマネージャー３０と、ユーザレベル無線リソースマネージャー３２との間の関係を概略的に示す図２について説明する。ＣＲＲＭ１８の機能は、セルレベル無線リソースマネージャー３０（ユーザレベル無線リソースマネージャー３２）によって実行される分散型リソース管理機能とは異なる。というのは、セルレベルＲＲＭ及びユーザレベルＲＲＭでは、あるセル及びユーザ各々のリソースが、他のセル及びユーザ各々により使用されるリソースとは独立して管理されるからである。特に、セルレベルにおける制御は、セルレベル無線リソースマネージャー３０によって管理され、一方、ユーザレベルにおける制御は、ユーザレベル無線リソースマネージャー３２によって管理される。セルレベル無線リソースマネージャーは、チャンネル割り当て、セルの負荷を制御すると共に、干渉に基づく受け入れ制御を行う。従って、セルレベル無線リソースマネージャーは、セルに関連したアルゴリズムを管理する。
【００２２】
ユーザレベル無線リソースマネージャーは、基本的なハンドオーバー、クオリティループ、及び無線ベアラパラメータ選択を制御する。ユーザレベル無線リソースマネージャーは、コール設定のようなセルに関連しないパラメータを制御する傾向がある。ＣＲＲＭ１８は、多数のセルに関連した無線リソース管理の特徴を制御する。セル及びユーザレベルリソース管理機能は、ベースステーションコントローラ、無線ネットワークコントローラ及び／又はベースステーションに設けられる。
【００２３】
従って、セルレベル無線リソースマネージャーは、所定のユーザに対する無線リソースに関連した判断を、ユーザが現在位置しているセルに関連した情報のみを使用して実行する。従って、ユーザレベル無線リソースマネージャーは、所定のユーザに関連した判断を、そのユーザのみに関連した情報を使用して行う。これら両方の場合に、１つの無線アクセスシステムからの情報しか使用できない。ＣＲＲＭは、１つ以上の異なる無線アクセスシステムからのものである多数のセルからの情報を使用する。単一の無線アクセスシステムからの情報が使用される場合でも、セル及びユーザレベル無線リソースマネージャーによって判断を行う場合より多くの情報を異なるセルから入手することができる。
【００２４】
共通の無線リソースマネージャーの機能は、オペレーティングサポートシステム（ＯＳＳ）において実行されるリソース管理機能とは異なる。ＯＳＳは、ベースステーションコントローラ及び無線ネットワークコントローラに接続される。ＯＳＳは、全てのネットワーク要素への直接的又は間接的接続を有する。ＯＳＳは、性能の統計学的分析を使用してネットワークパラメータの長時間修正を与えるように動作し、一方、ＣＲＲＭ１８によって与えられるリソース管理は、より迅速な応答時間（コールの時間巾程度の）を有する。又、ＯＳＳは、ネットワークマネージメントシステム（ＮＭＳ）とも称される。
【００２５】
必要とされる応答時間に基づいてＣＲＲＭ又はＯＳＳのいずれかを経て自己調整特徴を実施することができる。自己調整とは、現在遭遇している負荷及び無線状態に基づいてあるパラメータ及びコンフィギュレーション設定の値を自律的に同調し即ち変更するネットワークの能力を指す。実際には、現在状態を分析し、そして必要なときに当該パラメータ及び／又はネットワークコンフィギュレーションの適当な変更をトリガーするために、種々の測定値、カウンター及び／又は統計学的情報が使用される。
【００２６】
リソース管理機能のハイアラーキーを示す図３について説明する。ＯＳＳ機能４０は、最も高いハイアラーキーレベルを有する。これは、ＯＳＳによりなされる判断が他の無線リソース判断を無効にすることを意味する。ＣＲＲＭ機能４２は、次に最も高いハイアラーキーレベルを有し、そしてそれより低いレベルによりなされた無線リソース判断を無効にする。ＣＲＲＭ機能４２は、２つのレベル４３及び４５を有するものとみなされる。その上位レベル４３は、異なる無線技術を使用する（そして多数のベースステーションコントローラエリア及び無線ネットワークコントローラエリアに属する）セルの状態を考慮に入れて判断を実行する。下位レベル４５は、ベースステーションコントローラエリア、無線ネットワークコントローラエリア等にもある１つの無線アクセス技術内で判断を実行する。次のレベル４４は、セルレベル無線リソース管理の機能を有する。各無線アクセスシステムに対して別々の機能が与えられる。図２の構成では、３つの機能があり、その１つは、ＥＤＧＥ変調を使用するＧＳＭ無線アクセスシステムのための機能４４ａであり、別の１つは、周波数分割デュープレックス（ＦＤＤ）を使用する第３世代システムのための機能４４ｂであり、そしてもう１つは、ＩＰベースの無線アクセスネットワークを使用する第３世代システムのための機能４４ｃである。次のレベル４６は、ユーザレベル無線アクセス管理の機能を有し、この場合も、セルレベル無線リソース管理層について述べた異なる無線アクセスシステムの各々に対して別々の機能が与えられる。本発明の別の実施形態では、セル及びユーザレベルの無線リソース管理層位置が予約される。最後に、ユーザ平面４８は、最低のハイアラーキーレベルを有する。ユーザ平面は、データをフォーマットに入れて、エアインターフェイスを経て送信できるようにする。又、ユーザ平面は、高速電力制御や、共用チャンネルに対するデータの高速スケジューリングのような機能をも与える。従って、ユーザ平面は、無線ネットワークコントローラ及び媒体アクセス制御における無線リンク制御を与える。
【００２７】
ＣＲＲＭによりサポートされる機能及び特徴は、層内機能５０と層間機能５２とに分割できる。これが、図４に概略的に示されている。層内機能５０は、互いに干渉するリソース（例えば、１つの高周波帯域）の使用を整合する機能を含み、そして後者は、互いに直接干渉しないリソースの使用を整合する機能を含む。換言すれば、層内機能は、干渉するエンティティ（即ち、同じ搬送波を使用するユーザ及びセル）間でリソース割り当てを整合できるようにする。これらの機能は、通常、チャンネル割り当て及び層内ハンドオーバーを制御する。異なる無線アクセスシステムの各々に対して別々の層内機能５０ａ−ｄが設けられることが明らかである。層５０ａ及びｄは、ＦＤＤ無線アクセスシステムをサポートするために設けられる。これら２つの層は、例えば、マイクロ及びマクロセルを取り扱うために設けられる。層５０ｃ及び５０ｄは、ＥＤＧＥ無線アクセスネットワーク及びＩＰベースの無線アクセスネットワークを各々サポートする。層内機能の各々は、各無線アクセスシステムに関連した無線アクセスシステム内の無線リソース割り当てを制御するように構成される。
【００２８】
層間機能５２は、非干渉エンティティの間でリソース割り当てを整合することができる。これらの機能は、通常、アイドルモードセル分離、セル再選択、及び層間ハンドオーバーを制御する。換言すれば、層間機能は、判断を行うときに少なくとも２つの無線アクセスシステム又は層の状態を考慮に入れる。
【００２９】
層間機能と層内機能を分離したことは、２つのクラスの機能が異なる処理要件を有しそして異なる実施を要求できる（例えば、集中型のネットワーク要素は、層間機能を与え、そして分散的な実施は、層内機能に使用される）という点で好都合である。
多数の異なる無線アクセスネットワークと共に機能するよう構成された単一のＣＲＲＭ１８を示す図５について説明する。図５に示す構成では、無線アクセスシステムは、次の通りである。
【００３０】
ベースステーションサブシステムがＣＲＲＭに接続されたＧＳＭ無線アクセスシステム５６；
ＣＲＲＭ１８に接続されたＩＰベースのＧＳＭ　ＥＤＧＥベースの無線アクセスネットワーク５８；
ＣＲＲＭ１８に接続されたＩＰベースのＵＭＴＳ地上無線アクセスネットワーク６０；
ＣＲＲＭ１８に接続されたＦＤＤを使用するＲＡＮ（無線アクセスネットワーク）６２；
ＣＲＲＭ１８に接続されたＴＤＤを使用するＲＡＮ（無線アクセスネットワーク）６４；及び
サポートすることのできる他の無線アクセスネットワーク６６（例えば、ＷＬＡＮ　ＩＥＥＥ８０２．１１ｂ、ＷＬＡＮ　ＩＥＥＥ８０２．１１ａ、ＨｉｐｅｒＬＡＮ／２、ＣＤＭＡ２０００、ＵＷＣ．１３６等）。
【００３１】
無線リソース割り当て判断は、これら無線アクセスシステムの１つ以上における状態を考慮に入れてＣＲＲＭにより行われる。この判断が１つのアクセスシステムからの情報しか使用しない場合には、層内判断が行われる。この判断が２つ以上の無線アクセスシステムの情報に基づいて行われる場合には、層間判断が行われる。
【００３２】
ＣＲＲＭのあるモデルを、ＣＲＲＭにより受信される種々の入力と共に示した図６について説明する。ＲＡＮのＯ＆Ｍ９０、並びにセルレベル及び移動レベルの無線リソースマネージャー３０及び３２は、全て、無線ネットワークコントローラ（ＵＭＴＳ地上無線アクセスネットワーク−ＵＴＲＡＮ、リリース−９９の場合）又はベースステーションコントローラ（ＧＳＭ／ＥＤＧＥ　ＢＳＳリリース−９９の場合）に組み込まれる。この場合に、ＣＲＲＭとＲＮＣ又はＢＳＣとの間に単一のインターフェイスが必要とされる。しかしながら、他の無線アクセスネットワークでは、これらの要素が異なるネットワーク要素にあることが明らかである。ＣＲＲＭは、次の４つの基本的なアクション（又はそれらのサブセット）を実行する。
【００３３】
アクション１：入力７２を経てのセル状態の検索
ＣＲＲＭは、入力７２を経て受け取られるセル状態に関する情報に対して当該エンティティ（例えば、ＩＰ　ＲＡＮネットワーク等におけるセルレベルの無線リソースマネージャー）に要求を発する。又、ＣＲＲＭは、リモートネットワーク要素から次のような他の情報も要求できる。
サーバー状態。このサーバー状態は、例えば、サーバーの動作状態である；
受け取られるコアネットワーク要素の負荷。この負荷は、要素の負荷のような指示を与えるビットレートのようなパラメータでよい；そして
搬送ネットワーク状態。
【００３４】
要求される厳密な情報は、ＣＲＲＭで実施される特定の機能に依存するが、この情報を検索するための１つの共通のメカニズムしか設計されない。この情報を検索するのに使用されるメカニズムは、いかなる適当な形態でもよく、例えば、第３世代規格においてＩｕｂ及び／又はＩｕｒの測定手順に使用されるものでもよいし、又はデータベース問合せメカニズムを使用することもできる。単一メカニズムの使用は、ＣＲＲＭが、セル以外のエンティティ（例えば、スイッチ、ネットワーク要素ＮＥ、等）の状態を同じメカニズムで得るのを防止するものではない。情報を検索するための周期的トリガー又は事象トリガーメカニズムが使用される。例えば、要求に応答してレポートを与えることもできるし、或いはある事象の発生に応答するか又はある時間の経過後に、レポートを発生することもできる。
【００３５】
アクション２：候補ターゲットセルリストにおける優先順位決め
１つの移動ステーションに対する候補ターゲットセルのリストが、当該移動ステーション又はユーザ装置に関するサービスクオリティパラメータ及び他の情報と共に、ユーザレベル無線リソースマネージャーから入力８０を経てＣＲＲＭへ送信される。ＣＲＲＭは、ターゲットセルの状態を考慮に入れた内部アルゴリズムを使用して、優先順位決めされたターゲットセルリストを、出力８２を経て、移動ステーションへ返送する。例えば、移動ステーションは、２つのターゲットベースステーションをもつことができる。ＣＲＲＭは、アクション１に関して受け取ったセル測定を経て、ターゲットの１つが過負荷であることを確認し、従って、過負荷でないターゲットに対して移動ステーションを優先順位決めすることができる。
【００３６】
アクション３：ＲＡＮコンフィギュレーションパラメータの高速同調。検索されたセル状態情報に基づいて、ＣＲＲＭは、セル選択／再選択及び他のセル／ＲＡＮコンフィギュレーションパラメータをセットする（ＩＰ　ＲＡＮのＯ＆Ｍサーバーを経て）。これは、出力８４を経て行われる。例えば、アクション１で述べたように受信された負荷測定値に基づき、ＣＲＲＭは、アイドルモードパラメータを同調し、従って、移動ステーションのアイドルモードの振舞いと、移動ステーションがどのセルを聴取するかを制御することができる。図示された「オペレータ設定」は、ＣＲＲＭの初期化を表わし、例えば、どんな振舞いをすべきかを表わす。通常装置に対して行われるのは同じ初期化及びパラメータ設定である。
【００３７】
３つのインターフェイスが定義される。Ｉｕｃ１は、セルレベル無線リソースマネージャー３０へ／からのものであり、Ｉｕｃ２は、ユーザレベルリソースマネージャー３２へ／からのものであり、そしてＩｕｃ３は、Ｏ＆Ｍエンティティ９０へ／からのものである。第１インターフェイスを使用して、ＣＲＲＭは、セルの性能に関する情報をセルレベル無線リソースマネージャー３０に要求しそして得る。第２インターフェイスを使用して、ＣＲＲＭは、候補セルに関する情報及び無線アクセスベアラＲＡＢパラメータをユーザレベルリソースマネージャー３２から得る。ＣＲＲＭは、優先順位決めされた候補リストを計算し、これは、第２インターフェイスを経てユーザレベル無線リソースマネージャーへ送信される。ＣＲＲＭは、ネットワークコンフィギュレーション及び性能に関する情報を第３インターフェイスを経て受信する。
【００３８】
これらインターフェイスのサブセットのみが実施される（例えば、ＣＲＲＭのある実施では、第３インターフェイスを回避することができる）。
ＣＲＲＭは、２つ以上の無線アクセスシステムが存在するシステムにおいてシステム内及びシステム間ハンドオーバーを制御することができる。
ＣＲＲＭは、オープンインターフェイスを経て必要な無線アクセスネットワーク要素に接続される。更に、異なる無線アクセスシステム間で相互動作を許すために、ＣＲＲＭは、各無線技術に対する標準的なインターフェイスを設計するか又は全ての無線アクセスシステムに共通したインターフェイスにより異なるアクセスシステムに接続することができる。
【００３９】
この集中型（又は共通）のリソース制御は、次のステップに従って機能する。
１．ＣＲＲＭは、必要であるところ（ベースステーション又はベースステーションコントローラ）からそのインターフェイスを経て負荷情報を受信する。もし必要であれば、ＣＲＲＭは、どんな種類の情報が必要であるかそしてどんなレポート方法でなければならないかに関して当該エンティティに要求する。ＣＲＲＭは、図６の入力７２を経てこの情報を受信する。要求されそして送信される情報は、ＣＲＲＭがネットワーク要素に得られる容量を理解できるようにする情報又は測定値、並びに移動ステーションに与えることのできるサービスクオリティ（スループット、遅延等の形態で）である。
【００４０】
２ａ．ＣＲＲＭは、ハンドオーバー判断の役割を果たすローカルエンティティ（例えば、ＧＳＭシステムのベースステーションコントローラ、ＵＴＲＡＮシステムのＲＮＣ、ＩＰ　ＲＡＮシステムのユーザレベル無線リソースコントローラ）から、ハンドオーバー候補リストを、移動ステーション又は他のユーザ装置によりなされた測定、移動ステーション又は他のユーザ装置に対するクラスマーク情報、及び任意であるが、移動ステーション又は他のユーザ装置ＵＥがネットワークから要求する接続のサービスクオリティパラメータと一緒に受け取る。これは、図６の入力８０を経て受け取られる。ローカルハンドオーバー制御エンティティは、必ずしもハンドオーバーのたびにＣＲＲＭへハンドオーバー候補リストを送信する必要がない。というのは、ある（簡単な）ハンドオーバー判断は、ローカルでも行えるからである。ハンドオーバー判断に対するＣＲＲＭ問合せの基準を定義しなければならない。１つの考えられる基準は、使用中のもの以外の別のシステム（又は層）に属するターゲット候補をハンドオーバー候補リストが含む場合だけ、それをＣＲＲＭへ送信することである。ベースステーションコントローラ又は無線ネットワークコントローラが情報のソースである場合には、ベースステーションコントローラ又は無線ネットワークコントローラにより制御されない少なくとも１つの候補ターゲットをハンドオーバー候補リストが含む場合にエンティティがそれをＣＲＲＭへ送信するという別の基準も考えられる。
【００４１】
２ｂ．ＣＲＲＭは、候補を優先順位決めするか、又はそれ自身のアルゴリズム及び情報に基づいてターゲットを選択し、そして図６の出力８２を経て分散型ハンドオーバー制御エンティティに新たなリストを返送する。又、これは、チャンネル割り当て機能に使用することもでき、即ちセル内に使用されるべきチャンネルに関する情報もＣＲＲＭにより返送される。ＣＲＲＭから応答が受け取られない場合に、ローカルハンドオーバー制御エンティティがハンドオーバーの判断をローカルで行うことを定義することにより、システムに頑丈さを追加することができる。
【００４２】
３ａ．ＣＲＲＭが、それに接続された無線アクセスネットワークに関するより完全な情報を得られるようにするために、ＣＲＲＭは、出力８４を経てＲＡＮのコンフィギュレーション及び性能データベースに問合せをすることができる。このコンフィギュレーションデータベースは、ＣＲＲＭオペレーションに関連したコンフィギュレーションパラメータ（例えば、アイドルモードのセル選択及び再選択）に使用されるパラメータ）の値を与える。第２のデータベースは、ネットワークの性能に関する情報を与えて、ＣＲＲＭがネットワーク最適化アルゴリズムを実行できるようにし、これは、ネットワークコンフィギュレーションパラメータを変更するか又はターミナルを他のセルへ向け直すことによりネットワーク性能を改善できるようにする。この情報は、システムにおいてこれらパラメータを設定する役割を果たすネットワーク要素ＮＥ（例えば、ＧＳＭシステムのＢＳＣ、ＵＴＲＡＮシステムのＲＮＣ、又はＩＰベースＲＡＮの一般的Ｏ＆Ｍサーバー）へオープンインターフェイスを経て検索される。
【００４３】
３ｂ．アイドルモードターミナルに対してシステムへのアクセスを制御し又はセル再選択プロセスを制御するために、ＣＲＲＭは、負荷情報（ステップ１のように受信された）に基づいて、セル選択／再選択に使用されるパラメータ（例えば、移動ステーションへブロードキャストされるパラメータ）をセット及び変更する。新たなパラメータは、システムにおいてこれらパラメータを設定する役割を果たすネットワーク要素ＮＥ（例えば、ＧＳＭシステムのＢＳＣ、ＵＴＲＡＮのＲＮＣ、又はＩＰベースＲＡＮの一般的Ｏ＆Ｍサーバー）へオープンインターフェイスを経てシグナリングされる。
【図面の簡単な説明】
【図１】
共通の無線リソースマネージャーを使用する第１及び第２の無線アクセスシステムを示す図である。
【図２】
ＣＲＲＭと、セルレベル無線リソースマネージャーと、ユーザレベル無線リソースマネージャーとの間の関係を概略的に示す図である。
【図３】
無線リソースハイアラーキーを示す図である。
【図４】
ＣＲＲＭを層内及び層間に分割するところを示す図である。
【図５】
単一のＣＲＲＭを多数の異なる無線アクセスシステムと共に使用するモデルを示す図である。
【図６】
ＣＲＲＭのモデル、特に、ＣＲＲＭにより受信される入力を示す図である。
【図７】
分散的に実施されるＣＲＲＭを示すブロック図である。
【図２】
2004511986.tif 000002
【図３】
2004511986.tif 000003
【図４】
2004511986.tif 000004
【図６】
2004511986.tif 000005
【国際公開パンフレット】
2004511986.tif 000006
2004511986.tif 000007
2004511986.tif 000008
2004511986.tif 000009
2004511986.tif 000010
2004511986.tif 000011
2004511986.tif 000012
2004511986.tif 000013
2004511986.tif 000014
2004511986.tif 000015
2004511986.tif 000016
2004511986.tif 000017
2004511986.tif 000018
2004511986.tif 000019
2004511986.tif 000020
2004511986.tif 000021
2004511986.tif 000022
2004511986.tif 000023
2004511986.tif 000024
2004511986.tif 000025
2004511986.tif 000026
2004511986.tif 000027
2004511986.tif 000028
2004511986.tif 000029
2004511986.tif 000030
2004511986.tif 000031
2004511986.tif 000032
2004511986.tif 000033
2004511986.tif 000034
2004511986.tif 000035
2004511986.tif 000036
【国際公開パンフレット（コレクトバージョン）】
2004511986.tif 000037
2004511986.tif 000038
2004511986.tif 000039
2004511986.tif 000040
2004511986.tif 000041
2004511986.tif 000042
2004511986.tif 000043
2004511986.tif 000044
2004511986.tif 000045
2004511986.tif 000046
2004511986.tif 000047
2004511986.tif 000048
2004511986.tif 000049
2004511986.tif 000050
2004511986.tif 000051
2004511986.tif 000052
2004511986.tif 000053
2004511986.tif 000054
2004511986.tif 000055
2004511986.tif 000056
2004511986.tif 000057
2004511986.tif 000058
2004511986.tif 000059
2004511986.tif 000060
2004511986.tif 000061
2004511986.tif 000062
2004511986.tif 000063
2004511986.tif 000064
2004511986.tif 000065
2004511986.tif 000066
2004511986.tif 000067
【国際調査報告】
2004511986.tif 000068
2004511986.tif 000069
2004511986.tif 000070